(57)【要約】【課題】ユーザにより登録された時期やユーザの住所やユーザにより登録されたカメラの機種によって画像を評価することができる画像管理装置を提供する。【解決手段】画像記憶部２２は、ユーザが所有する複数の画像を記憶可能である。ユーザ属性取得部２４は、少なくとも、ユーザが登録した登録時期、住所又はカメラの機種のいずれかに関する情報を含むユーザ属性データを取得する。画像属性取得部２６は、少なくとも、画像記憶部２２に記憶された画像の撮影時期、撮影住所又は撮影カメラの機種の情報のうち、ユーザ属性データに含まれる情報に対応する情報を含む画像属性データを取得する。評価部２８は、ユーザ属性データと画像属性データとの対応する情報同士の関連に基づき、画像記憶部２２に記憶された画像を、画像同士で比較可能に評価する。【選択図】図２
2012014462.tif 000002
【特許請求の範囲】
【請求項１】
ユーザが所有する複数の画像を記憶可能な画像記憶手段と、
少なくとも、前記ユーザが登録した登録時期、住所又はカメラの機種のいずれかに関する情報を含むユーザ属性データを取得するユーザ属性取得手段と、
少なくとも、前記画像記憶手段に記憶された画像の撮影時期、撮影住所又は撮影カメラの機種の情報のうち、前記ユーザ属性データに含まれる情報に対応する情報を含む画像属性データを取得する画像属性取得手段と、
ユーザ属性データと画像属性データとの対応する情報同士の関連に基づき、前記画像記憶手段に記憶された画像を、画像同士で比較可能に評価する評価手段と、
を含むことを特徴とする画像管理装置。
【請求項２】
前記評価手段は、前記ユーザが登録した登録時期と前記画像の撮影時期とが近接又は同一の場合、前記ユーザの住所と前記画像の撮影住所との距離が基準距離より遠い場合、又は画像の撮影カメラの機種と前記ユーザ属性データが示すカメラの機種とが異なる場合にフラグを設定し、当該フラグが設定された画像をフラグが設定されていない画像に比べて評価を高くする、
ことを特徴とする請求項１に記載の画像管理装置。
【請求項３】
前記評価手段は、登録時期、住所及びカメラの機種の情報の中で優先順位を決定し、前記フラグが設定された画像の中で、前記優先順位に基づいて評価を行う、
ことを特徴とする請求項２に記載の画像管理装置。
【請求項４】
少なくとも、前記ユーザが登録した登録時期、住所又はカメラの機種のいずれかに関する情報を含むユーザ属性データを取得するユーザ属性取得ステップと、
少なくとも、ユーザが所有する複数の画像の撮影時期、撮影住所又は撮影カメラの機種の情報のうち、前記ユーザ属性データに含まれる情報に対応する情報を含む画像属性データを取得する画像属性取得ステップと、
ユーザ属性データと画像属性データとの対応する情報同士の関連に基づき、前記画像記憶手段に記憶された画像を、画像同士で比較可能に評価する評価ステップと、
を含むことを特徴とする画像評価方法。
【請求項５】
少なくとも、前記ユーザが登録した登録時期、住所又はカメラの機種のいずれかに関する情報を含むユーザ属性データを取得するユーザ属性取得手段、
少なくとも、ユーザが所有する複数の画像の撮影時期、撮影住所又は撮影カメラの機種の情報のうち、前記ユーザ属性データに含まれる情報に対応する情報を含む画像属性データを取得する画像属性取得手段、
ユーザ属性データと画像属性データとの対応する情報同士の関連に基づき、前記画像記憶手段に記憶された画像を、画像同士で比較可能に評価する評価手段、
としてコンピュータを機能させることを特徴とするプログラム。
【請求項６】
少なくとも、前記ユーザが登録した登録時期、住所又はカメラの機種のいずれかに関する情報を含むユーザ属性データを取得するユーザ属性取得手段、
少なくとも、ユーザが所有する複数の画像の撮影時期、撮影住所又は撮影カメラの機種の情報のうち、前記ユーザ属性データに含まれる情報に対応する情報を含む画像属性データを取得する画像属性取得手段、
ユーザ属性データと画像属性データとの対応する情報同士の関連に基づき、前記画像記憶手段に記憶された画像を、画像同士で比較可能に評価する評価手段、
としてコンピュータを機能させることを特徴とするプログラムを記憶したコンピュータ読み取り可能な記憶媒体。
【発明の詳細な説明】
【技術分野】
【０００１】
本発明は、画像管理装置、画像評価方法、プログラム及び記憶媒体に関する。
【背景技術】
【０００２】
近年、ユーザが撮影した写真画像などをサーバで管理するサービスが展開されてきている。このようなサービスの中には、複数の画像を並べてユーザに提供するものがある。特許文献１には、ユーザが注目する画像の画像解析結果などを基に注目画像の特徴を検出し、その情報を基に周辺画像の表示属性を変化させることにより、複数の画像を並べて表示させる場合に、より効果的に画像を提示できるようにした技術が開示されている。特許文献１の注目画像の検出は、例えばユーザの視線検出用のカメラを備え、カメラで撮影したユーザの映像を解析し、ユーザの顔の向きや視線などを検出してそれを基に注目している画像を特定する。
【先行技術文献】
【特許文献】
【０００３】
【特許文献１】特開２００９−２１６８１９号公報
【発明の概要】
【発明が解決しようとする課題】
【０００４】
ところで、特許文献１に開示されている技術では、ユーザの注目画像を特定する場合に、ユーザの視線検出用のカメラによりユーザの顔の向きや視線などを検出している。このため、ユーザの視線検出用のカメラを備えない場合には、注目画像を特定することが困難である。
【０００５】
複数の画像を並べてユーザに提示する場合に、誕生日や入学式などといったユーザに関するイベントが行われた時期や、ユーザの住所や、ユーザが用いているカメラの機種などに基づく画像の評価結果に応じた順序で画像が並べられていると、ユーザにとって重要である可能性が高い画像から順に複数の画像がユーザに提示されることとなり、ユーザの利便性が向上する。
【０００６】
本発明は上記課題に鑑みてなされたものであって、ユーザにより登録された時期やユーザの住所やユーザにより登録されたカメラの機種によって画像を評価することができる画像管理装置、画像評価方法、プログラム及び記憶媒体を提供することを目的とする。
【課題を解決するための手段】
【０００７】
上記課題を解決するために、本発明に係る画像管理装置は、ユーザが所有する複数の画像を記憶可能な画像記憶手段と、少なくとも、前記ユーザが登録した登録時期、住所又はカメラの機種のいずれかに関する情報を含むユーザ属性データを取得するユーザ属性取得手段と、少なくとも、前記画像記憶手段に記憶された画像の撮影時期、撮影住所又は撮影カメラの機種の情報のうち、前記ユーザ属性データに含まれる情報に対応する情報を含む画像属性データを取得する画像属性取得手段と、ユーザ属性データと画像属性データとの対応する情報同士の関連に基づき、前記画像記憶手段に記憶された画像を、画像同士で比較可能に評価する評価手段と、を含むことを特徴とする。
【０００８】
また、本発明に係る画像評価方法は、少なくとも、前記ユーザが登録した登録時期、住所又はカメラの機種のいずれかに関する情報を含むユーザ属性データを取得するユーザ属性取得ステップと、少なくとも、ユーザが所有する複数の画像の撮影時期、撮影住所又は撮影カメラの機種の情報のうち、前記ユーザ属性データに含まれる情報に対応する情報を含む画像属性データを取得する画像属性取得ステップと、ユーザ属性データと画像属性データとの対応する情報同士の関連に基づき、前記画像記憶手段に記憶された画像を、画像同士で比較可能に評価する評価ステップと、を含むことを特徴とする。
【０００９】
また、本発明に係るプログラムは、少なくとも、前記ユーザが登録した登録時期、住所又はカメラの機種のいずれかに関する情報を含むユーザ属性データを取得するユーザ属性取得手段、少なくとも、ユーザが所有する複数の画像の撮影時期、撮影住所又は撮影カメラの機種の情報のうち、前記ユーザ属性データに含まれる情報に対応する情報を含む画像属性データを取得する画像属性取得手段、ユーザ属性データと画像属性データとの対応する情報同士の関連に基づき、前記画像記憶手段に記憶された画像を、画像同士で比較可能に評価する評価手段、としてコンピュータを機能させることを特徴とする。
【００１０】
また、本発明に係る記憶媒体は、少なくとも、前記ユーザが登録した登録時期、住所又はカメラの機種のいずれかに関する情報を含むユーザ属性データを取得するユーザ属性取得手段、少なくとも、ユーザが所有する複数の画像の撮影時期、撮影住所又は撮影カメラの機種の情報のうち、前記ユーザ属性データに含まれる情報に対応する情報を含む画像属性データを取得する画像属性取得手段、ユーザ属性データと画像属性データとの対応する情報同士の関連に基づき、前記画像記憶手段に記憶された画像を、画像同士で比較可能に評価する評価手段、としてコンピュータを機能させることを特徴とするプログラムを記憶したコンピュータ読み取り可能な記憶媒体である。
【００１１】
本発明では、ユーザが登録した登録時期、住所又はカメラの機種のいずれかに関する情報を含むユーザ属性データと、画像属性データに含まれる、そのユーザ属性データに対応する情報との関連に基づいて、画像が評価される。このようにして、本発明によれば、ユーザにより登録された時期やユーザの住所やユーザにより登録されたカメラの機種によって画像が評価される。
【００１２】
本発明の一態様では、前記評価手段は、前記ユーザが登録した登録時期と前記画像の撮影時期とが近接又は同一の場合、前記ユーザの住所と前記画像の撮影住所との距離が基準距離より遠い場合、又は画像の撮影カメラの機種と前記ユーザ属性データが示すカメラの機種とが異なる場合にフラグを設定し、当該フラグが設定された画像をフラグが設定されていない画像に比べて評価を高くすることを特徴とする。
【００１３】
この態様では、前記評価手段は、登録時期、住所及びカメラの機種の情報の中で優先順位を決定し、前記フラグが設定された画像の中で、前記優先順位に基づいて評価を行ってもよい。
【図面の簡単な説明】
【００１４】
【図１】本実施形態に係る画像管理システムの構成の一例を示す図である。
【図２】本実施形態に係るサーバで実現される機能の一例を示す機能ブロック図である。
【図３】ユーザ属性データの一例を示す図である。
【図４】登録画像一覧表示画面の一例を示す図である。
【図５】画像属性データの一例を示す図である。
【図６】画像追加属性データの一例を示す図である。
【図７】本実施形態に係るサーバで行われる評価処理の流れの一例を示すフロー図である。
【図８】本実施形態に係るサーバで行われる登録画像一覧表示画面出力処理の流れの一例を示すフロー図である。
【発明を実施するための形態】
【００１５】
以下、本発明の一実施形態について図面に基づき詳細に説明する。
【００１６】
図１は、本実施形態に係る画像管理システム１０の構成の一例を示す図である。図１に示すように、本実施形態に係る画像管理システム１０は、例えば、サーバ１２（本実施形態では、画像管理装置として機能する。）と、ユーザ端末（クライアント）１４（１４−１〜１４−ｎ）と、を含んでいる。サーバ１２及び各ユーザ端末１４は、インターネットなどのネットワーク１６に接続されており、サーバ１２とユーザ端末１４とは互いに通信可能になっている。
【００１７】
サーバ１２は、例えば、サーバ１２にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、を含んで構成されている。これらの要素は、バスを介して接続される。サーバ１２の記憶部には、サーバ１２の制御部によって実行されるプログラムが記憶される。また、サーバ１２の記憶部は、サーバ１２のワークメモリとしても動作する。
【００１８】
ユーザ端末１４は、例えば、ＣＰＵ等の制御装置、ＲＯＭやＲＡＭ等の記憶素子やハードディスクドライブ等の記憶装置、ディスプレイ等の出力装置、マウスやキーボード等の入力装置、ネットワークボード等の通信装置を備えた公知のパーソナルコンピュータにより構成されている。
【００１９】
ここで、本実施形態に係るサーバ１２で実現される機能について説明する。図２は、本実施形態に係るサーバ１２で実現される機能の一例を示す機能ブロック図である。図２に示すように、サーバ１２は、ユーザ属性データ記憶部２０、画像記憶部２２、ユーザ属性取得部２４、画像属性取得部２６、評価部２８、画像一覧表示画面生成部３０、画像一覧表示画面出力部３２、を含んで構成される。ユーザ属性データ記憶部２０、画像記憶部２２は、サーバ１２の記憶部を主として実現される。その他の要素は、サーバ１２の制御部を主として実現される。
【００２０】
これらの要素は、コンピュータであるサーバ１２にインストールされたプログラムを、サーバ１２の制御部で実行することにより実現されている。なお、このプログラムは、例えば、ＣＤ−ＲＯＭ、ＤＶＤ−ＲＯＭなどのコンピュータ読み取り可能な記憶媒体を介して、あるいは、インターネットなどの通信ネットワークを介してサーバ１２に供給される。
【００２１】
本実施形態に係る画像管理システム１０では、予め、ユーザのアカウント登録処理が終了している。そして、本実施形態に係るユーザ属性データ記憶部２０には、予め、図３に例示するユーザ属性データ４０が記憶されている。
【００２２】
ユーザ属性データ４０は、例えば、ユーザの識別子であるユーザＩＤ、ユーザの氏名を示す氏名データ、ユーザの住所を示す住所データ、ユーザの電話番号を示す電話番号データ、ユーザのファクシミリ番号を示すファクシミリ番号データ、ユーザが所有するカメラの機種を示す所有カメラ機種データ、ユーザの嗜好（例えば、趣味、好きな観光地など）を示す嗜好データ、などを含んでいる。なお、所有カメラ機種データはユーザが予め登録する方法の他に、ユーザにより登録された画像において、例えば連続しない日付で５日間以上に渡って同一のカメラ機種データであれば、当該カメラ機種データが示す機種をユーザが所有するカメラの機種とみなすようにしてもよい。
【００２３】
また、ユーザ属性データ４０は、ユーザにより登録されたイベントを示す登録イベントデータを少なくとも１つ含んでいる。登録イベントデータは、イベントの内容を示すイベント内容データと、そのイベントに対応する時期を示すイベント時期データと、を含んでいる。図３に例示するユーザ属性データ４０は、イベントの内容が、それぞれ、スキー（対応時期は１月３日）、誕生日（対応時期は３月７日）、入学式（対応時期は４月７日）である、３つの登録イベントデータを含んでいる。なお、図３に示す登録イベントデータは、ユーザのカレンダー情報から取得するようにしてもよい。例えば、ユーザ属性データ記憶部２０には、１月〜１２月までのカレンダー情報が記憶されている。ユーザは、このカレンダー情報にイベントを登録しておき、カレンダー情報を参照して予定を確認する。
【００２４】
本実施形態に係る画像記憶部２２には、予め、ユーザにより登録された画像（以下、登録画像４２（図４参照）と呼ぶ。）が記憶されている。本実施形態では、登録画像４２は、例えば、ユーザが所有する画像である。図４は、画像記憶部２２に記憶されている登録画像４２が一覧で表示される登録画像一覧表示画面４４の一例を示す図である。登録画像一覧表示画面４４の詳細については後述する。
【００２５】
本実施形態に係る画像記憶部２２には、図５に例示する画像属性データ４６、及び、図６に例示する画像追加属性データ４８も記憶されている。各登録画像４２は、画像属性データ４６及び画像追加属性データ４８に関連付けられている。
【００２６】
画像属性データ４６は、登録画像４２の属性を示すデータ（具体的には、例えば、ＥｘｉｆデータやＤＣＦデータなど）であり、例えば、画像の撮影日時を示す撮影日時データ、画像に対応する位置情報を示す位置情報データ（例えば、カメラに搭載されているＧＰＳ（Global Positioning System）により計測される、カメラの位置に対応する緯度、経度、標高を示すデータや住所を示すデータなど）、登録画像４２が撮影されたカメラの機種（メーカーやモデルなど）を示す撮影カメラ機種データ、などを含んでいる。
【００２７】
画像追加属性データ４８は、登録画像４２の追加属性を示すデータであり、例えば、登録画像４２の識別子である画像ＩＤ、ファイルの名称を示すファイル名データ、登録画像４２を登録したユーザの識別子を示すユーザＩＤ、ユーザ端末１４からの要求に応じて登録画像４２が参照された回数を示す参照回数データ、ユーザ端末１４からの要求に応じて登録画像４２が印刷出力された回数を示す印刷回数データ、登録画像４２の評価値を示す評価値データ、などを含んでいる。
【００２８】
画像属性取得部２６は、登録画像４２に関連付けられている画像属性データ４６や画像追加属性データ４８を取得する。ユーザ属性取得部２４は、登録画像４２を登録したユーザのユーザ属性データ４０を取得する。そして、評価部２８は、ユーザ属性データ４０や画像属性データ４６や画像追加属性データ４８に基づいて、登録画像４２の評価値を算出する。そして、評価部２８は、算出された評価値を、登録画像４２に関連付けられている画像追加属性データ４８に含まれる評価値データの項目に設定する。本実施形態では、評価値の初期値は５０である。そして、本実施形態では、評価値は、０から１００までの間のいずれかの整数の値をとる。
【００２９】
本実施形態では、評価部２８は、例えば、所定の条件を満足する登録画像４２の評価値を更新する。ここで、評価部２８は、所定の条件を満足する登録画像４２に対してフラグを設定し、フラグが設定された登録画像４２の評価値を更新するようにしてもよい。
【００３０】
本実施形態では、例えば、評価部２８は、登録画像４２の撮影日時と、いずれかのイベント時期データが示す日時と、の差が所定の範囲内であれば、その登録画像４２にフラグを設定する。そして、評価部２８は、フラグが設定された登録画像４２の評価値を５増加させる。これにより、ユーザのイベントで撮影された登録画像４２を高く評価できるようになる。
【００３１】
また、評価部２８は、例えば、登録画像４２が撮影された位置と、住所データが示す住所に対応する位置と、の間の距離が基準距離より遠い場合であれば、その登録画像４２にフラグを設定する。そして、評価部２８は、フラグが設定された登録画像４２の評価値を５増加させる。これにより、ユーザの住所から離れている場所で撮影された登録画像４２を高く評価できるようになる。従って、ユーザの近所で撮影した登録画像４２よりも、旅行などで撮影された登録画像４２を高く評価できるようになる。
【００３２】
また、評価部２８は、例えば、画像属性データ４６に含まれる撮影カメラ機種データが示すカメラの機種と、ユーザ属性データ４０に含まれる所有カメラ機種データが示すカメラの機種と、が異なる場合には、その登録画像４２にフラグを設定する。そして、評価部２８は、フラグが設定された登録画像４２の評価値を５増加させる。これにより、ユーザのカメラで撮影されていない登録画像４２を高く評価できるようになる。従って、ユーザが知り合いなどから貰った登録画像４２を高く評価できるようになる。
【００３３】
このように、本実施形態に係る画像管理システム１０では、評価部２８は、登録画像４２に関連付けられている画像属性データ４６又は画像追加属性データ４８に含まれる情報と、その情報に対応する、登録画像４２を登録したユーザのユーザ属性データ４０に含まれる情報と、の比較結果に基づいて、登録画像４２の評価値を算出する。
【００３４】
また、本実施形態では、評価部２８は、単位期間（例えば、日、週、月）で撮影された数が多い登録画像４２の評価値を５増加させる。また、本実施形態では、評価部２８は、参照回数データが示す値が所定値より大きい登録画像４２の評価値を５増加させる。また、本実施形態では、評価部２８は、印刷回数データが示す値が所定値より大きい登録画像４２の評価値を５増加させる。
【００３５】
また、本実施形態では、公知の画像解析技術により登録画像４２に対する画像解析を実行する。そして、本実施形態では、評価部２８は、ピントがずれていると判定される登録画像４２の評価値を１０減少させる。また、本実施形態では、評価部２８は、カラーレベルがずれていると判定される登録画像４２の評価値を１０減少させる。また、本実施形態では、評価部２８は、眼を閉じている人物の画像が含まれる登録画像４２の評価値を１０減少させる。
【００３６】
本実施形態では、例えば、評価部２８は、登録画像４２が登録された際に、その登録画像４２についての評価値の算出処理を実行する。また、本実施形態では、例えば、評価部２８は、所定の時間間隔で、画像記憶部２２に記憶されているすべての登録画像４２について、評価値の算出処理を実行する。
【００３７】
そして、本実施形態では、評価部２８は、登録画像４２に関連付けられている画像追加属性データ４８に含まれる評価値データの値に基づいて、登録画像４２の優先順位を決定する。例えば、画像追加属性データ４８の参照回数データの値が大きいほど登録画像４２を高く評価する。また、印刷回数データの値が大きいほど登録画像４２を高く評価する。これにより、ユーザに対して人気のある登録画像４２を高く評価することができる。
【００３８】
評価部２８は、本実施形態では、例えば、評価値が高い順に登録画像４２の優先順位を決定する。なお、評価部２８は、もちろん、評価値が低い順に登録画像４２の優先順位を決定してもよい。
【００３９】
画像一覧表示画面生成部３０は、例えば、評価部２８により決定された優先順位に従って登録画像４２が並べられた登録画像一覧表示画面４４を生成する。画像一覧表示画面出力部３２は、例えば、画像一覧表示画面生成部３０により生成された登録画像一覧表示画面４４をユーザ端末１４のディスプレイに表示出力する。
【００４０】
ここで、本実施形態に係るサーバ１２で行われる評価処理の流れの一例を図７に示すフロー図を参照しながら説明する。本処理例では、予め、画像記憶部２２に、画像属性データ４６及び画像追加属性データ４８に関連付けられている複数の登録画像４２が記憶されていることとする。
【００４１】
まず、ユーザ属性取得部２４が、登録画像４２を登録したユーザのユーザ属性データ４０を取得する（Ｓ１０１）。そして、画像属性取得部２６が、まだ本処理例に示す処理が実行されていない登録画像４２のうちの１つを評価対象の登録画像４２として特定する（Ｓ１０２）。そして、画像属性取得部２６が、評価対象の登録画像４２に関連付けられている画像属性データ４６及び画像追加属性データ４８を取得する（Ｓ１０３）。そして、評価部２８が、上述の評価基準に従って、Ｓ１０３に示す処理で取得した画像属性データ４６及び画像追加属性データ４８と、Ｓ１０１に示す処理で取得したユーザ属性データ４０と、に基づいて、評価対象となっている登録画像４２の評価値を算出する（Ｓ１０４）。そして、評価部２８が、Ｓ１０４に示す処理で算出した評価値を、評価対象となっている登録画像４２に関連付けられている画像追加属性データ４８に含まれる評価値データの項目として設定する（Ｓ１０５）。そして、ユーザ属性取得部２４が、まだ本処理例に示す処理が実行されていない登録画像４２が存在するか否かを確認する（Ｓ１０６）。存在する場合は（Ｓ１０６：Ｙ）、Ｓ１０２以降の処理を再度実行する。存在しない場合は（Ｓ１０６：Ｎ）、本処理例に示す処理を終了する。
【００４２】
次に、本実施形態に係るサーバ１２がユーザ端末１４から登録画像一覧表示画面４４の出力要求を受け付けた際に本実施形態に係るサーバ１２で行われる登録画像一覧表示画面出力処理の流れの一例を図８に示すフロー図を参照しながら説明する。
【００４３】
まず、評価部２８が、関連付けられている画像追加属性データ４８に含まれる評価値データの値が大きいものほど高い優先順位となるよう、画像記憶部２２に記憶されている各登録画像４２の優先順位を決定する（Ｓ２０１）。そして、画像一覧表示画面生成部３０が、優先順位の高い登録画像４２から順に左から右へ一列に配置された登録画像一覧表示画面４４を生成する（Ｓ２０２）。そして、画像一覧表示画面出力部３２が、Ｓ２０２に示す処理で生成された登録画像一覧表示画面４４をユーザ端末１４のディスプレイに表示出力して（Ｓ２０３）、本処理例に示す処理を終了する。
【００４４】
このようにして、本実施形態に係る画像管理システム１０では、関連付けられている評価値の大小に従って順位付けられた複数の登録画像４２が並べられた登録画像一覧表示画面４４がユーザ端末１４に提供される。本実施形態に係る画像管理システム１０によれば、ユーザは、登録画像４２を効率よく選択することができる。
【００４５】
本実施形態に係る画像管理システム１０は、例えば、印刷対象となる登録画像４２の選択を行う場面や、重要な登録画像４２を選択してフォトブックを作成する場面や、削除の対象となる登録画像４２を特定したい場面などに活用することができる。
【００４６】
なお、本発明は上述の実施形態に限定されるものではない。
【００４７】
例えば、画像追加属性データ４８は、互いに異なる基準（算出方法）により算出された複数の評価値を含んでいてもよい。そして、評価部２８が、ユーザ端末１４から基準の指定を受け付けて、その基準により算出された評価値に基づいて登録画像４２の優先順位を決定するようにしてもよい。そして、画像一覧表示画面生成部３０は、このようにして決定された優先順位に従って複数の登録画像４２が並べられた登録画像一覧表示画面４４を生成するようにしてもよい。
【００４８】
また、例えば、画像一覧表示画面生成部３０は、例えば、評価部２８により決定された優先順位に従って画像記憶部２２に記憶されている登録画像４２の中から、優先順位が所定の順位内である登録画像４２を選択して、選択された登録画像４２が並べられた登録画像一覧表示画面４４を生成してもよい。
【００４９】
また、画像管理システム１０におけるサーバ１２とユーザ端末１４との役割分担は上述の実施形態には限定されない。また、上記の具体的な数値や文字列や図面中の具体的な数値や文字列は例示であり、これらの数値や文字列には限定されない。
【符号の説明】
【００５０】
１０  画像管理システム、１２  サーバ、１４  ユーザ端末（クライアント）、１６  ネットワーク、２０  ユーザ属性データ記憶部、２２  画像記憶部、２４  ユーザ属性取得部、２６  画像属性取得部、２８  評価部、３０  画像一覧表示画面生成部、３２  画像一覧表示画面出力部、４０  ユーザ属性データ、４２  登録画像、４４  登録画像一覧表示画面、４６  画像属性データ、４８  画像追加属性データ。
【図１】
2012014462.tif 000003
【図２】
2012014462.tif 000004
【図３】
2012014462.tif 000005
【図４】
2012014462.tif 000006
【図５】
2012014462.tif 000007
【図６】
2012014462.tif 000008
【図７】
2012014462.tif 000009
【図８】
2012014462.tif 000010